(57)【要約】  【課題】ハンガーを背フレームに着脱可能に構成したものにおいて、ハンガーの取り付けに寄与する部位又は部材が後方から視認し難く、ハンガーを取り付けた状態、及びハンガーを取り付けていない状態、何れの状態においても良好な外観を呈する椅子を提供する。  【解決手段】背凭れ７の後方に背フレーム６の少なくとも一部が離間して存在する椅子において、背フレーム６のうち背凭れ７から離間している横フレーム部６２の前面６２ａに、ハンガー２を取り付けるための係合溝６２１を設け、この係合溝６２１を介してハンガー２を着脱できるように構成した。【選択図】図１
2010022573.tif 000002
【特許請求の範囲】
【請求項１】
背凭れの後方に背フレームの少なくとも一部が離間して存在する椅子において、前記背フレームのうち前記背凭れから離間している部位の前面に、ハンガーを取り付けるためのハンガー取付部を設け、このハンガー取付部を介して前記ハンガーを着脱可能に構成していることを特徴とする椅子。
【請求項２】
前記ハンガーが、衣類を掛けることが可能なハンガー本体と、このハンガー本体を支持するための対をなすハンガー脚とを備えたものであり、
前記ハンガー取付部が、前記背フレームの前面に幅方向に沿って設けられ高さ寸法が幅方向中央に向かって漸次小さくなる断面Ｃ型又は断面略Ｃ型の係合溝であり、
前記対をなすハンガー脚の下端部にそれぞれ設けた段付ピンを、ハンガー脚の一時的な弾性変形を利用して前記係合溝にそれぞれ係合可能に構成している請求項１記載の椅子。
【請求項３】
前記ハンガーが、衣類を掛けることが可能なハンガー本体と、このハンガー本体を支持するための対をなすハンガー脚とを備えたものであり、
前記ハンガー取付部が、前記背フレームの前面に幅方向に沿って幅広開口部及び幅狭開口部を連続して設けたダルマ孔であり、
前記対をなすハンガー脚を一時的に弾性変形させて各ハンガー脚の下端部にそれぞれ設けた段付ピンを前記幅広開口部に挿入し、ハンガー脚の弾性復帰力により段付ピンを幅広開口部から幅狭開口部へ移動させることにより、各段付ピンを前記各ダルマ孔にそれぞれ係合可能に構成している請求項１記載の椅子。
【請求項４】
前記ハンガーが、衣類を掛けることが可能なハンガー本体と、このハンガー本体を支持するための対をなすハンガー脚と、各ハンガー脚を回転可能に支持する脚支持部とを備えたものであり、
前記ハンガー取付部が、前記背フレームの前面に幅方向に沿って設けられ高さ寸法が幅方向中央に向かって漸次小さくなる断面Ｃ型又は断面略Ｃ型の係合溝であり、
前記各脚支持部の下端部にそれぞれ設けた段付ピンを、前記係合溝にそれぞれ係合可能に構成している請求項１記載の椅子。
【請求項５】
前記ハンガーが、衣類を掛けることが可能なハンガー本体と、このハンガー本体を支持するための対をなすハンガー脚と、各ハンガー脚を回転可能に支持する脚支持部とを備えたものであり、
前記ハンガー取付部が、前記背フレームの前面に幅方向に沿って幅広開口部及び幅狭開口部を連続して設けたダルマ孔であり、
前記各脚支持部の下端部にそれぞれ設けた段付ピンを各ダルマ孔の前記幅広開口部に挿入して幅狭開口部へ移動させることにより、各段付ピンを前記各ダルマ孔にそれぞれ係合可能に構成している請求項１記載の椅子。
【請求項６】
前記ハンガーが、衣類を掛けることが可能なハンガー本体と、このハンガー本体を支持するためハンガー脚とを備えたものであり、
前記ハンガー取付部が、前記背フレームの前面に幅方向に沿って設けた断面Ｃ型又は断面略Ｃ型の係合溝であり、
前記ハンガー脚の下端部に設けた係合片を、前記係合溝に挿脱可能な挿脱位置と係合溝に係合可能な係合位置との間で回転可能に構成している請求項１記載の椅子。
【発明の詳細な説明】
【技術分野】
【０００１】
本発明は、背凭れを支持する背フレームにハンガーが着脱可能な椅子に関するものである。
【背景技術】
【０００２】
従来、背凭れを支持する背フレームに、使用者の好み等によってハンガーを後付けできるように構成した椅子が考えられている。その一例として、背フレームの背面にハンガーを取り付けるためのハンガー取付具を設け、このハンガー取付具にハンガーを支持させた状態で取付可能にしたものが挙げられる（例えば特許文献１参照）
【特許文献１】特開２００４―１７４１４５号公報
【発明の開示】
【発明が解決しようとする課題】
【０００３】
しかしながら、背フレームの背面にハンガー取付具を設ける態様であるため、ハンガー取付具が椅子の後方から容易に視認でき、目立って見栄えを損なうという不具合があった。また、ハンガー取付具自体を背フレームの背面に取り付けていない状態であっても、ハンガー取付具自体を背フレームに取り付けるためのビス孔等が椅子の後方から視認でき、やはり見栄えが損なわれるという不具合があった。なお、ビス孔を別途専用のキャップ等で被覆する態様も考えられるが、部品点数の増加という別の問題が生じる。
【０００４】
本発明は、このような課題に着目してなされたものであって、主たる目的は、ハンガーを背フレームに着脱可能に構成したものにおいて、ハンガーの取り付けに寄与する部位又は部材が後方から視認し難く、ハンガーを取り付けた状態、及びハンガーを取り付けていない状態、何れの状態においても良好な外観を呈する椅子を提供することにある。
【課題を解決するための手段】
【０００５】
すなわち、本発明の椅子は、背凭れの後方に背フレームの少なくとも一部が離間して存在するものにおいて、前記背フレームのうち前記背凭れから離間している部位の前面に、ハンガーを取り付けるためのハンガー取付部を設け、このハンガー取付部を介して前記ハンガーを着脱可能に構成していることを特徴とする。
【０００６】
このように、ハンガー取付部を背フレームのうち背凭れから離間している部位の前面に設けたものであれば、ハンガー取付部が後方から視認し難く、このハンガー取付部にハンガーを取り付けた状態、及びハンガーを取り付けていない状態、何れの状態であってもハンガー取付部が後方に露出することなく、また、ハンガー取付部の前方には背凭れが存在するため、ハンガー取付部が前方に露出することもなく、良好な外観を呈する椅子となる。加えて、ハンガー取付部にハンガーを取り付けていない状態において、ハンガー取付部は背フレームの背面に表出しないため、ハンガー取付部を専用のキャップ等で積極的に被覆する必要性はなく、部品点数の増加を招来することもない。さらに、背フレームのうち背凭れから離間している部位の前面にハンガー取付部を設けることにより、このハンガー取付部を設けた部位は背凭れからの着座者の荷重を直接受けることがない若しくは少ないため、当該部位の確保すべき強度は比較的低くて済むため、ハンガー取付部の設計自由度の向上も図ることができる。
【０００７】
特に、前記ハンガーが、衣類を掛けることが可能なハンガー本体と、このハンガー本体を支持するための対をなすハンガー脚とを備えたものであり、前記ハンガー取付部が、前記背フレームの前面に幅方向に沿って設けられ高さ寸法が幅方向中央に向かって漸次小さくなる断面Ｃ型又は断面略Ｃ型の係合溝であり、前記対をなすハンガー脚の下端部にそれぞれ設けた段付ピンを、ハンガー脚の一時的な弾性変形を利用して前記係合溝にそれぞれ係合可能に構成すれば、対をなすハンガー脚を一時的に弾性変形させてハンガー脚の下端部に設けた段付ピンを係合溝の両側方から挿入し、ハンガー脚の弾性復帰力により一対の段付ピンが相寄る方向に移動すると、所定距離移動した時点で、高さ寸法が幅方向中央に向かって漸次小さくなる係合溝に各段付ピンが係合し、係合溝から段付ピンが不意に抜け外れることを規制することができる。このように、一対のハンガー脚の弾性変形を利用することにより、係合溝に対するハンガーの適切な取付位置の位置決めも簡単に行うことができ、別途専用の位置決め部材や或いは抜け外れ防止用のストッパ等を用いることなく、係合溝を利用して簡単且つスムーズにハンガーを背フレームに取り付けることができる。また、ハンガーを取り外す場合には、ハンガー脚を再度弾性変形させて段付ピンを係合溝の両側方へ抜き外せばよく、ハンガーの着脱作業が極めて容易である。
【０００８】
また、前記ハンガーが、衣類を掛けることが可能なハンガー本体と、このハンガー本体を支持するための対をなすハンガー脚とを備えたものであり、前記ハンガー取付部が、前記背フレームの前面に幅方向に沿って幅広開口部及び幅狭開口部を連続して設けたダルマ孔であり、前記対をなすハンガー脚を一時的に弾性変形させて各ハンガー脚の下端部にそれぞれ設けた段付ピンを前記幅広開口部に挿入し、ハンガー脚の弾性復帰力により段付ピンを幅広開口部から幅狭開口部へ移動させることにより、各段付ピンを前記各ダルマ孔にそれぞれ係合可能に構成すれば、対をなすハンガー脚を一時的に弾性変形させてハンガー脚の下端部に設けた段付ピンを各ダルマ孔の幅広開口部に挿入し、ハンガー脚の弾性復帰力により一対の段付ピンが相寄る方向に移動すると各ダルマ孔の幅狭開口部に係合し、ダルマ孔から段付ピンが不意に抜け外れることを規制することができる。このように、一対のハンガー脚の弾性変形を利用することにより、一対のダルマ孔に対するハンガーの適切な取付位置の位置決めも簡単に行うことができ、別途専用の位置決め部材や或いは抜け外れ防止用のストッパ等を用いることなく、簡単且つスムーズにハンガーをハンガー取付部に取り付けることができる。また、ハンガーを取り外す場合には、ハンガー脚を再度弾性変形させて各段付ピンを幅狭開口部から幅広開口部へ移動させてダルマ孔から抜き外せばよく、ハンガーの着脱作業が極めて容易である。
【０００９】
背フレームのうち背凭れから離間している部位の湾曲度合いが異なる椅子に対して共通のハンガーを取付可能にするための好適な実施態様としては、前記ハンガーが、衣類を掛けることが可能なハンガー本体と、このハンガー本体を支持するための対をなすハンガー脚と、各ハンガー脚を回転可能に支持する脚支持部とを備えたものであり、前記ハンガー取付部が、前記背フレームの前面に幅方向に沿って設けられ高さ寸法が幅方向中央に向かって漸次小さくなる断面Ｃ型又は断面略Ｃ型の係合溝であり、前記各脚支持部の下端部にそれぞれ設けた段付ピンを、前記係合溝にそれぞれ係合可能に構成している態様が挙げられる。背フレームのうち背凭れから離間している部位の湾曲度合いが緩ければ緩いほど、換言すれば直線に近ければ近いほど、その湾曲部位に設けた係合溝も直線に近いものとなり、この係合溝に係合させた一対の段付ピンは平面視平行に近い相対関係となり、一方、背フレームのうち背凭れから離間している部位の湾曲度合いが急であれば急であるほど、換言すれば後方への突出寸法が大きければ大きいほど、その湾曲部位に設けた係合溝も後方への突出寸法が大きいものとなり、この係合溝に係合させた一対の段付ピンは平面視ハ字状に近い相対関係となる。よって、段付ピンとハンガー脚との相対関係が不変であるハンガーを、湾曲度合いが異なる背フレームに取り付けようとした場合、ハンガー脚及びハンガー本体にねじれ等に起因する無理な負荷が作用し、好適に取り付けることができない、或いは過大な負荷により一部破損する等の不具合が生じるおそれがある。しかしながら、本発明では、各脚支持部がそれぞれハンガー脚に対して回動自在であるため、一対のハンガー脚は、一対の段付ピンの相対位置関係に拘束されることなく、適切な相対位置関係を確保することができ、ねじれ等に起因する無理な負荷がハンガー脚やハンガー本体に作用することを回避できる。
【００１０】
また、背フレームのうち背凭れから離間している部位の湾曲度合いが異なる椅子に対して共通のハンガーを取付可能にするための他の好適な実施態様としては、前記ハンガーが、衣類を掛けることが可能なハンガー本体と、このハンガー本体を支持するための対をなすハンガー脚と、各ハンガー脚を回転可能に支持する脚支持部とを備えたものであり、前記ハンガー取付部が、前記背フレームの前面に幅方向に沿って幅広開口部及び幅狭開口部を連続して設けたダルマ孔であり、前記各脚支持部の下端部にそれぞれ設けた段付ピンを各ダルマ孔の前記幅広開口部に挿入して幅狭開口部へ移動させることにより、各段付ピンを前記各ダルマ孔にそれぞれ係合可能に構成している態様が挙げられる。このような態様であっても、各段付ピンを前記各ダルマ孔にそれぞれ係合させることによって、ハンガーを背フレームに取り付けることができるとともに、各脚支持部がそれぞれハンガー脚に対して回動自在であるため、一対のハンガー脚は、一対の段付ピンの相対位置関係に拘束されることなく、適切な相対位置関係を確保することができ、ねじれ等に起因する無理な負荷がハンガー脚やハンガー本体に作用することを回避できる。
【００１１】
また、前記ハンガーが、衣類を掛けることが可能なハンガー本体と、このハンガー本体を支持するためハンガー脚とを備えたものであり、前記ハンガー取付部が、前記背フレームの前面に幅方向に沿って設けた断面Ｃ型又は断面略Ｃ型の係合溝であり、前記ハンガー脚の下端部に設けた係合片を、前記係合溝に挿脱可能な挿脱位置と係合溝に係合可能な係合位置との間で回転可能に構成すれば、係合片を挿脱位置に位置付けた状態で係合溝内に挿入し、所定の取付位置において係合片を挿脱位置から係合位置に変更することにより、係合片が係合溝に挿脱不能な状態で係合し、係合溝の幅方向に沿った係合片の移動が規制された状態となる。このように、係合片を挿脱位置と係合位置との間で適宜回転させることにより、ハンガー取付部である係合溝に対するハンガーの取付作業を簡単に行うことができる。また、ハンガーを取り外す場合には、係合片を係合位置から挿脱位置へ回転させて係合溝から抜き外せばよく、ハンガーの着脱作業が極めて容易である。
【発明の効果】
【００１２】
以上説明したように本発明によれば、ハンガーを背フレームに着脱可能に構成したものにおいて、ハンガーの取り付けに寄与する部位又は部材が後方から視認し難く、ハンガーを取り付けた状態、及びハンガーを取り付けていない状態、何れの状態においても良好な外観を呈する椅子を提供することができる。
【発明を実施するための最良の形態】
【００１３】
以下、本発明の一実施形態を、図面を参照して説明する。
【００１４】
本実施形態に係る椅子は、図１及び図２等に示すように、椅子本体１にハンガー２を着脱可能に設けたものである。なお、図１では、ハンガー２を想像線で示している。
【００１５】
椅子本体１は、図１に示すように、脚体３に基体４を支持させ、その基体４に座５を支持せるとともに、基体４に背フレーム６を傾動可能に枢着し、その背フレーム６に背凭れ７を支持させたものである。
【００１６】
背フレーム６は、基端を基体４に枢着した対をなす縦フレーム部６１と、これら縦フレーム部６１の上端部間に架設した横フレーム部６２とを備えたものである。
【００１７】
背凭れ７は、背フレーム６に対応させて門型に形成した枠部７１と、この枠部７１に張り設けた張り部材７２とを備えたものである。背凭れ７の下端部は、縦フレーム部６１のうち下端部側の前面６１ａに上下方向にスライド移動可能に支持され、背凭れ７部の上端部は縦フレーム部６１のうち上端部側の前面６１ａにスライド移動不能に取り付けられている。
【００１８】
背フレーム６の一部を構成する前記横フレーム部６２は、背凭れ７の後方に離間して存在するものであり、背凭れ７との間に所定の中空スペースＳを形成している。すなわち、この横フレーム部６２の一部又は全部が、本発明の「背フレームのうち背凭れから離間している部位」に相当する。この横フレーム部６２の背面６２ｂは、図３に示すように、縦フレーム部６１の背面６１ｂと滑らかに連続する形状をなす。一方、図４（同図（ａ）は横フレーム部６２の正面図を模式的に示すものであり、同図（ｂ）、（ｃ）は（ａ）のＸ―Ｘ線断面、Ｙ―Ｙ線断面を模式的に示すものである）に示すように、横フレーム部６２の前面６２ａは、縦フレーム部６１の６１ａと滑らかに連続する形状をなし、この前面６２ａに、ハンガー２を取り付けるためのハンガー取付部たる係合溝６２１を設けている。本実施形態に係る椅子は、この係合溝６２１を介してハンガー２を後付け可能に構成している。
【００１９】
係合溝６２１は、図４に示すように、横フレーム部６２の前面６２ａに幅方向に沿って設けられ高さ寸法が幅方向中央に向かって漸次小さくなる断面Ｃ型又は断面略Ｃ型のものである。なお、「高さ寸法が幅方向中央に向かって漸次小さくなる」とは、「係合溝６２１の外形自体の高さ寸法が幅方向中央に向かって漸次小さく、外形に対応して内部空間６２１ｓの高さ寸法も幅方向中央に向かって漸次小さくなる」、或いは、「係合溝６２１の外形自体は、高さ寸法が全て同一であるが、内部空間６２１ｓの高さ寸法は幅方向中央に向かって漸次小さくなる」これら何れをも含む概念である。図４等では、前者の態様を示している。係合溝６２１は、幅方向に沿った両側方及び前方に開口するものであり、以後の説明において、両側方の開口部を側方開口部６２１ａと称し、前方の開口部を前方開口部６２１ｂと称す。
【００２０】
ハンガー２は、図５（同図（ａ）、（ｂ）はハンガー２の背面図、側面図をそれぞれ模式的に示す図である）及び図６等に示すように、衣類を掛けることが可能なハンガー本体２１と、このハンガー本体２１を支持するための対をなすハンガー脚２２とを備えたものである。
【００２１】
ハンガー本体２１は、概略扁平な平板状をなし、その幅方向に沿った長手寸法を、横フレーム部６２の長手寸法と同一又は若干小さく設定している。
【００２２】
ハンガー脚２２は、ハンガー本体２１の両端部よりも幅方向中央部側に寄った位置から下方に延びるものである。本実施形態では、ハンガー２として、ハンガー本体２１及びハンガー脚２２を樹脂素材からなる一体成型品を用いている。一対のハンガー脚２２は、一定以上の負荷が作用していない通常姿勢（Ｐ）で平行又は略平行をなしている（図５（ａ）参照）。各ハンガー脚２２の下端部に、それぞれ後方に突出する段付ピン２２１を設けている。段付ピン２２１は、基端（前端）側に設けた軸部２２１ａと、先端（後端）側に設けられ軸部２２１ａよりも径寸法を大きく設定した係合突起部２２１ｂとを一体に備えたものである。
【００２３】
次に、このようなハンガー２を背フレーム６のうち背凭れ７の後方に離間している横フレーム部６２の前面６２ａに設けた係合溝６２１を利用して背フレーム６に取り付ける手順及び作用について説明する。
【００２４】
先ず、通常姿勢（Ｐ）をとるハンガー脚２２を相互に離間する方向に弾性変形させる操作力を加えて、通常姿勢（Ｐ）時よりもハンガー脚２２の下端部同士を相互に離間させた拡開姿勢（Ｑ）にし（図６参照）、各ハンガー脚２２の下端部に設けた段付ピン２２１をそれぞれ側方開口部６２１ａから係合溝６２１内に挿入する。なお、側方開口部６２１ａの開口高さ寸法を、段付ピン２２１の係合突起部２２１ｂの高さ寸法よりも大きく設定し、側方開口部６２１ａから段付ピン２２１を挿入する作業を容易に行えるようにしている（図７（ａ）参照、なお、図７（ａ）、（ｂ）は、係合溝６２１と段付ピン２２１との係合作用を図４（ｂ）、（ｃ）に対応させて説明するための作用説明図である）。また、係合溝６２１の前方開口部６２１ｂは、その開口高さ寸法を段付ピン２２１の軸部２２１ａの径寸法よりも大きく設定している。
【００２５】
そして、ハンガー脚２２を相互に離間する方向に弾性変形させる操作力を解除する又は弱めると、各ハンガー脚２２はそれぞれの弾性復帰力により拡開姿勢（Ｑ）から通常姿勢（Ｐ）に戻ろうとする。これに伴って、各段付ピン２２１が係合溝６２１に嵌った状態で相互に近付く方向に移動する。各段付ピン２２１が係合溝６２１の幅方向中央側へ向かって所定距離移動した時点で、係合突起部２２１ｂの上下端部が係合溝６２１内の下向面６２１ａ及び上向面６２１ｂに圧接して引っ掛かり、段付ピン２２１のそれ以上の同一方向（係合溝６２１の幅方向中央側に向かう方向）への移動が規制されるとともに、係合突起部２２１ｂの前面が係合溝６２１内の後向面６２１ｃに当接し得るため、段付ピン２２１の前方への抜け外れも規制された状態となる（図７（ｂ）参照）。この状態において、対をなすハンガー脚２２は前記通常姿勢（Ｐ）又は通常姿勢（Ｐ）に近い姿勢となり、これらハンガー脚２２を拡開姿勢（Ｑ）に姿勢変更させる操作力を付与しない限り、段付ピン２２１と係合溝６２１との係合状態は解除されず、横フレーム部６２に対するハンガー２の良好な取付状態を、係合溝６２１と一対の段付ピン２２１との係合を利用して実現することができる。また、係合溝６２１を利用してハンガー２を横フレーム部６２に取り付けた取付状態において、ハンガー脚２２が背凭れ７の枠部７１及び張り部材７２に干渉しないように設定している。具体的には、ハンガー脚２２の厚み寸法を、係合溝６２１の前面と背凭れ７との離間寸法よりも小さく設定している。また、ハンガー脚２２のうち、段付ピン２２１を設ける下端部近傍部を、他の部位よりも薄肉な薄肉部にして、この薄肉部に段付ピン２２１を設けることによって、ハンガー脚２２のうち段付ピン２２１を設けた部位の段付ピン２２１を含めた厚み寸法が他の部位と比較して過度に増大しないようにしている（図５（ｂ）参照）。
【００２６】
また、前記取付状態において、ハンガー脚２２を拡開姿勢（Ｑ）に姿勢変更させる操作力を付与して、ハンガー脚２２を再度弾性変形させて段付ピン２２１を係合溝６２１の各側方開口部６２１ａからそれぞれ抜き外すことにより、段付ピン２２１と係合溝６２１との係合状態が解除され、ハンガー２を横フレーム部６２から取り外すことができる。
【００２７】
このように、本実施形態に係る椅子は、背フレーム６のうち背凭れ７から離間している部位、つまり横フレーム部６２の前面６２ａに、ハンガー２を取り付けるための係合溝６２１を設け、この係合溝６２１を介してハンガー２を着脱可能に構成しているため、係合溝６２１が後方から視認し難く、この係合溝６２１にハンガー２を取り付けた状態、及びハンガー２を取り付けていない状態、何れの状態であっても係合溝６２１が後方に露出することなく、良好な外観を呈するものになる。
【００２８】
さらに、背フレーム６のうち背凭れ７から離間している横フレーム部６２の前面６２ａに係合溝６２１を設けることにより、この係合溝６２１を設けた部位は背凭れ７からの着座者の荷重を直接受けることがない若しくは少ないため、当該部位の確保すべき強度は比較的低くて済むため、設計自由度の向上を図ることもできる。
【００２９】
特に、前記係合溝６２１が、横フレーム部６２の前面６２ａに幅方向に沿って設けられ高さ寸法が幅方向中央に向かって漸次小さくなる断面Ｃ型又は断面略Ｃ型の係合溝６２１であり、対をなすハンガー脚２２の下端部にそれぞれ設けた段付ピン２２１を、ハンガー脚２２の一時的な弾性変形を利用して係合溝６２１にそれぞれ係合可能に構成しているため、一対のハンガー脚２２の弾性変形を利用することにより、係合溝６２１に対するハンガー２の適切な取付位置の位置決めも簡単に行うことができ、別途専用の位置決め部材や或いは抜け外れ防止用のストッパ等を用いることなく、係合溝６２１を利用して簡単且つスムーズにハンガー２を横フレーム部６２に取り付けることができる。
【００３０】
また、ハンガー２を取り外す場合には、ハンガー脚２２を再度弾性変形させて段付ピン２２１を係合溝６２１の各側方開口部６２１ａからそれぞれ抜き外せばよく、ハンガー２の着脱作業が極めて容易である。
【００３１】
なお、本発明は、以上に詳述した実施形態に限られるものではない。
【００３２】
例えば、段付ピンは、軸部と、軸部よりも大きい断面形状を有する係合突起部とを備えたものであればよく、係合突起部が円盤状のものに限定されないことは言うまでもない。
【００３３】
また、係合溝の正面視形状を、ハンガー脚の拡開姿勢と通常姿勢との間の姿勢変更させた際の段付ピンの移動軌跡に対応させた形状に設定しても構わない。
【００３４】
また、前記実施形態では、ハンガー取付部として係合溝６２１を適用した態様を例示したが、ハンガー取付部として、図８に示すように、背フレームＡ６（横フレーム部Ａ６２）の前面Ａ６２ａに幅方向に沿って幅広開口部Ａ６２１ａ及び幅狭開口部Ａ６２１ｂを連続して設けた一対のダルマ孔Ａ６２１を適用した態様であっても構わない。この態様（第１変形例）について以下に説明する。なお、前述の図４及び図７にそれぞれ対応させた図面である図８（同図（ａ）は縦フレーム部Ａ６２の正面図を模式的に示したものであり、同図（ｂ）、（ｃ）は（ａ）のＸ―Ｘ線断面、Ｙ―Ｙ線断面を模式的に示すものである）及び図９では、上記実施形態に示す各部材・各部位に対応する各部材・各部位には符号の頭に「Ａ」を付している。また、上記実施形態と同様又は略同様の部材・部位については詳細な説明を省略する。
〈第１変形例〉
第１変形例では、ハンガー取付部として機能するダルマ孔Ａ６２１を、横フレーム部Ａ６２の前面Ａ６２ａであって且つ幅方向中央部から等距離に離間させた箇所に対をなして設けている。具体的には、幅広開口部Ａ６２１ａ及び幅狭開口部Ａ６２１ｂを連続して有するダルマ孔Ａ６２１を形成したダルマ孔形成部材Ａ６２２を、横フレーム部Ａ６２を成形する過程で、インサート成形により、横フレーム部Ａ６２の前面Ａ６２ａであって且つ幅方向中央部から等距離に離間させた箇所に一体的に設けている。ダルマ孔形成部材Ａ６２２は、例えば平板状の金属片を折曲加工したものであり、ダルマ孔Ａ６２１を形成し且つ横フレーム部Ａ６２の前面Ａ６２ａに露出する起立面部Ａ６２２ａと、起立面部Ａ６２２ａの上下端から後方に延びる一対の後方延出部A６２２ｂと、各後方延出部A６２２ｂの先端部から上方又は下方に向かって延びる一対の鍔部A６２２ｃとを備えたものである（図８参照）。このダルマ孔形成部材Ａ６２２を横フレーム部Ａ６２にインサート成形する場合には、起立面部Ａ６２２ａの内面側（後方側）に段付ピンＡ２２１の移動を許容するスペースＡ６２２ｓが形成されるように適宜の処理工程を経ている。
【００３５】
各ダルマ孔Ａ６２１は、幅狭開口部Ａ６２１ｂを相対的に横フレーム部Ａ６２の幅方向中央側に有し、幅広開口部Ａ６２１ａを相対的に横フレーム部Ａ６２の側端部側に有するものである。すなわち、この第１変形例では、ハンガー取付部として、幅狭開口部Ａ６２１ｂを幅方向中央側に向けて設けた対をなすダルマ孔Ａ６２１を適用している。幅広開口部Ａ６２１ａの開口寸法を、段付ピンＡ２２１の係合突起部Ａ２２１ｂが挿脱可能な寸法に設定する一方で、幅狭開口部Ａ６２１ｂの開口寸法を、段付ピンＡ２２１の軸部Ａ２２１ａの径寸法よりも大きく且つ係合突起部Ａ２２１ｂが挿脱不能な寸法に設定している。本実施形態では、幅広開口部Ａ６２１ａを円形状の孔とし、幅狭開口部Ａ６２１ｂを幅方向に延びる長孔としている。また、対をなすダルマ孔Ａ６２１の幅狭開口部Ａ６２１ｂ同士の離間距離を、ハンガー脚Ａ２２を前記通常姿勢（Ｐ）にした状態における対をなす段付ピンＡ２２１同士の離間距離と同一又は略同一に設定している。
【００３６】
次に、このような対をなすダルマ孔Ａ６２１を利用してハンガーＡ２を背フレームＡ６に取り付ける手順及び作用について説明する。
【００３７】
先ず、通常姿勢（Ｐ）をとるハンガー脚Ａ２２を相互に離間する方向に弾性変形させる操作力を加えて、通常姿勢（Ｐ）時よりもハンガー脚Ａ２２の下端部同士を相互に離間させた拡開姿勢（Ｑ）にし、各ハンガー脚Ａ２２の下端部に設けた段付ピンＡ２２１をそれぞれ各ダルマ孔Ａ６２１の幅広開口部Ａ６２１ａに挿入する（図９（ａ）参照）。そして、ハンガー脚２２を相互に離間する方向に弾性変形させる操作力を解除する又は弱めると、各ハンガー脚Ａ２２はそれぞれの弾性復帰力により拡開姿勢（Ｑ）から通常姿勢（Ｐ）に戻ろうとし、これに伴い、各段付ピンＡ２２１が相互に近付く方向に、すなわち幅広開口部Ａ６２１ａから幅狭開口部Ａ６２１ｂに向かって移動する。各段付ピンＡ２２１が幅狭開口部Ａ６２１ｂの開口縁部に圧接又は当接した時点で、段付ピン２２１のそれ以上の同一方向（横フレーム部Ａ６２の幅方向中央側に向かう方向）への移動が規制されるとともに、係合突起部Ａ２２１ｂの前面がダルマ孔形成部材Ａ６２２の起立面部Ａ６２２ａの後向面に当接し得るため、段付ピンＡ２２１の前方への抜け外れも規制された状態となる（図９（ｂ）参照）。この状態において、対をなすハンガー脚Ａ２２は前記通常姿勢（Ｐ）又は通常姿勢（Ｐ）に近い姿勢となり、これらハンガー脚Ａ２２を拡開姿勢（Ｑ）に姿勢変更させる操作力を付与しない限り、段付ピンＡ２２１とダルマ孔Ａ６２１との係合状態は解除されることがなく、横フレーム部Ａ６２に対するハンガーＡ２の良好な取付状態を、一対のダルマ孔Ａ６２１と一対の段付ピンＡ２２１との係合を利用して実現することができる。なお、ハンガーＡ２を横フレーム部Ａ６２に取り付けた取付状態において、ハンガー脚Ａ２２が図示しない背凭れに干渉しないように設定している点は前記実施形態と同様である。
【００３８】
このような第１変形例に示す態様であっても、背フレームＡ６のうち背凭れ７から離間している部位である横フレーム部Ａ６２の前面Ａ６２ａに設けた一対のダルマ孔Ａ６２１を介してハンガーＡ２を着脱可能に構成しているため、ダルマ孔Ａ６２１が後方から視認し難く、このダルマ孔Ａ６２１にハンガーＡ２を取り付けた状態、及びハンガーＡ２を取り付けていない状態、何れの状態であってもダルマ孔Ａ６２１が後方に露出することなく、良好な外観を呈するものになる。また、一対のハンガー脚Ａ２２の弾性変形を利用することにより、ダルマ孔Ａ６２１と段付ピンＡ２２１とを相互に係合させる作業や係合状態を解除する作業を簡単に行うことができ、ハンガーＡ２の着脱作業の容易化に資する。
【００３９】
なお、図示しないが、各ダルマ孔が、幅広開口部を相対的に横フレーム部の幅方向中央側に有し、幅狭開口部を相対的に横フレーム部の側端部側に有するものであっても構わない。すなわち、ハンガー取付部として、幅広開口部を幅方向中央側に向けて設けた対をなすダルマ孔を適用してもよい。この場合、対をなすダルマ孔の幅狭開口部同士の離間距離を、ハンガー脚を前記通常姿勢にした状態における対をなす段付ピン同士の離間距離と同一又は略同一に設定すればよい。そして、このような対をなすダルマ孔を利用してハンガーを背フレームに取り付ける場合は、先ず、通常姿勢をとるハンガー脚を相互に近付ける方向に弾性変形させる操作力を加えて、通常姿勢時よりもハンガー脚の下端部同士を相互に近付けた近接姿勢にし、各ハンガー脚の下端部に設けた段付ピンをそれぞれ各ダルマ孔の幅広開口部に挿入し、次いで、ハンガー脚を相互に近付ける方向に弾性変形させる操作力を解除する又は弱めると、各ハンガー脚はそれぞれの弾性復帰力により近接姿勢から通常姿勢に戻ろうとし、これに伴い、各段付ピンが相互に離間する方向に、すなわち幅広開口部から幅狭開口部に向かって移動する。各段付ピンが幅狭開口部の開口縁部に圧接又は当接した時点で、段付ピンのそれ以上の同一方向（横フレーム部の側端側に向かう方向）への移動が規制された状態となる。また、取付状態において、ハンガー脚を近接姿勢に姿勢変更させる操作力を付与して、ハンガー脚を再度弾性変形させてそれぞれの段付ピンを各ダルマ孔の幅狭開口部から幅広開口部へ移動させて、その幅広開口部から抜き外すことによって、段付ピンとダルマ孔との係合状態が解除され、ハンガーを横フレーム部から取り外すことができる。
【００４０】
なお、インサート成形により横フレーム部にダルマ孔を付帯させる態様に変えて、他の成形方法や加工方法により、横フレーム部にダルマ孔を付帯させるようにしても勿論構わない。
【００４１】
また、横フレーム部が金属製のパイプ材から構成したものであれば、このパイプ状の横フレーム部に直接穿孔加工を施すことによってダルマ孔を形成してもよい。
【００４２】
さらに、幅広開口部から幅狭開口部に移動した段付ピンが不用意に幅広開口部へ戻ることを規制するために、幅広開口部と幅狭開口部との境界又は境界近傍部位に、段付ピンの幅広開口部から幅狭開口部への移動を許容する一方、段付ピンの幅狭開口部から幅広開口部への移動を一定の負荷が掛からない限り許容しないストッパ（図示省略）を設けてもよい。
〈第２変形例〉
さらに、第２変形例として以下に説明する態様を採用しても構わない。なお、図１０〜図１２では、上記実施形態に示す各部材・各部位に対応する各部材・各部位には符号の頭に「Ｂ」を付している。図１０は、第２変形例におけるハンガーＢ２を前述の図５に対応させて示す図であり、図１１（ａ）は、同ハンガーＢ２の分解図であり、図１１（ｂ）は、後述する脚支持部Ｂ２３の側面図であり、図１２は、一部を省略して示す作用説明図である。また、上記実施形態と同様又は略同様の部材・部位については詳細な説明を省略する。
【００４３】
第２変形例では、ハンガーＢ２が、前記実施形態及び第１変形例におけるハンガー２、Ａ２と異なる。
【００４４】
第２変形例において適用するハンガーＢ２は、図１０及び図１１に示すように、衣類を掛けることが可能なハンガー本体Ｂ２１と、このハンガー本体Ｂ２１を支持するための対をなすハンガー脚Ｂ２２と、各ハンガー脚Ｂ２２を回転可能に支持する脚支持部Ｂ２３とを備えたものである。
【００４５】
ハンガー脚Ｂ２２の下端部には、下方に突出する円柱状又は略円柱状の差込み軸Ｂ２２ｃを設けている。
【００４６】
脚支持部Ｂ２３は、上端部に、差込み軸Ｂ２２ｃがあそびのある状態で挿入可能な差込み孔Ｂ２３ｃを有するものであり、この差込み孔Ｂ２３ｃに差込み軸Ｂ２２ｃを挿入した状態で脚支持部Ｂ２３の外面とハンガー脚Ｂ２２の外面とが滑らかに連続するようにしている。各脚支持部Ｂ２３の下端部に、それぞれ後方に突出する段付ピンＢ２３１を設けている。段付ピンＢ２３１は、前記実施形態で説明したものと同様に、基端（前端）側に設けた軸部Ｂ２３１ａと、先端（後端）側に設けられ軸部Ｂ２３１ａよりも径寸法を大きく設定した係合突起部Ｂ２３１ｂとを一体に備えたものである。そして、各ハンガー脚Ｂ２２の差込み軸Ｂ２２ｃをそれぞれ脚支持部Ｂ２３の差込み孔Ｂ２３ｃに挿入した状態において、差込み軸Ｂ２２ｃを中心にハンガー脚Ｂ２２と脚支持部Ｂ２３とが相対回転可能となる。つまり、第２変形例に示すハンガーＢ２は、各ハンガー脚Ｂ２２に対する段付ピンＢ２３１の突出方向を、差込み軸Ｂ２２ｃ回りに変更可能に構成している。
【００４７】
次に、このようなハンガーＢ２を、背フレームＢ６のうち背凭れＢ７から離間している横フレーム部Ｂ６２の前面Ｂ６２ａに設けた係合溝Ｂ６２１を利用して背フレームＢ６に取り付ける手順及び作用について説明する。なお、ハンガー取付部として機能する係合溝Ｂ６２１は前記実施形態で示した係合溝６２１と同様のものである。
【００４８】
先ず、各ハンガー脚Ｂ２２の差込み軸Ｂ２２ｃをそれぞれ脚支持部Ｂ２３の差込み孔Ｂ２３ｃに挿入し、この挿入状態を保持したまま、通常姿勢（Ｐ）をとるハンガー脚Ｂ２２を相互に離間する方向に弾性変形させる操作力を加えて、通常姿勢（Ｐ）時よりもハンガー脚Ｂ２２の下端部同士、換言すれば脚支持部Ｂ２３同士を相互に離間させた拡開姿勢（Ｑ）にし、各脚支持部Ｂ２３の下端部に設けた段付ピンＢ２３１をそれぞれ側方開口部から係合溝Ｂ６２１内に挿入する。段付ピンＢ２３１と係合溝Ｂ６２１との相対的な寸法関係は前記実施形態で述べたものに準ずる。
【００４９】
そして、ハンガー脚Ｂ２２を相互に離間する方向に弾性変形させる操作力を解除する又は弱めると、各ハンガー脚Ｂ２２はそれぞれの弾性復帰力により拡開姿勢（Ｑ）から通常姿勢（Ｐ）に戻ろうとする。これに伴って、各脚支持部Ｂ２３もハンガー脚Ｂ２２の復帰動作に連動して相互に相寄る方向に移動し、その結果、各段付ピンＢ２３１が係合溝Ｂ６２１に嵌った状態で相互に近付く方向に移動する。各段付ピンＢ２３１が係合溝Ｂ６２１の幅方向中央側へ向かって所定距離移動した時点で、係合突起部Ｂ２３１ｂの上下端部が係合溝Ｂ６２１内の下向面及び上向面に圧接して引っ掛かり、段付ピンＢ２３１のそれ以上の同一方向（係合溝Ｂ６２１の幅方向中央側に向かう方向）への移動が規制されるとともに、係合突起部Ｂ２３１ｂの前面が係合溝Ｂ６２１内の後向面に当接し得るため、段付ピンＢ２３１の前方への抜け外れも規制された状態となる。この状態において、対をなすハンガー脚Ｂ２２は前記通常姿勢（Ｐ）又は通常姿勢（Ｐ）に近い姿勢となり、これらハンガー脚Ｂ２２を拡開姿勢（Ｑ）に姿勢変更させる操作力を付与しない限り、段付ピンＢ２３１と係合溝Ｂ６２１との係合状態は解除されることがなく、横フレーム部Ｂ６２に対するハンガーＢ２の良好な取付状態を、係合溝Ｂ６２１と一対の段付ピンＢ２３１との係合を利用して実現することができる（図１２（ａ）参照、なお、図１２では、ハンガーＢ２のうち対をなす段付ピンＢ２３１のみを模式的に示している。ハンガーＢ２を横フレーム部Ｂ６２に取り付けた取付状態において、ハンガー脚Ｂ２２及び脚支持部Ｂ２３が背凭れＢ７に干渉しないように設定している点、及び取付状態において、ハンガー脚Ｂ２２を拡開姿勢（Ｑ）に姿勢変更させる操作力を付与して、ハンガー脚Ｂ２２を再度弾性変形させて脚支持部Ｂ２３の段付ピンＢ２３１を係合溝Ｂ６２１の各側方開口部からそれぞれ抜き外すことによって、段付ピンＢ２３１と係合溝Ｂ６２１との係合状態が解除され、ハンガーＢ２を横フレーム部Ｂ６２から取り外すことができる点は前記実施形態と同様又はそれに準ずるものである。
【００５０】
そして、第２変形例に示すハンガーＢ２は、図１２に示すように、湾曲度合いの異なる横フレーム部Ｂ６２、６２´を備えた椅子に対して共用できるという利点がある。
【００５１】
すなわち、図１２（ａ）に示す横フレーム部Ｂ６２のようにその湾曲度合いが緩ければ緩いほど（換言すれば直線に近いほど）、係合溝Ｂ６２１に係合させた一対の段付ピンＢ２３１の軸部Ｂ２３１ａ同士は平面視平行に近い相対関係となり、図１２（ｂ）に示す横フレーム部Ｂ６２´のようにその湾曲度合いが急であれば急であるほど（換言すれば後方への突出量が多いほど）、係合溝Ｂ６２１´に係合させた一対の段付ピンＢ２３１の軸部Ｂ２３１ａ同士は平面視ハ字状に近い相対関係となるが、第２変形例に示すハンガーＢ２は、脚支持部Ｂ２３がハンガー脚Ｂ２２に対して差込み軸Ｂ２２ｃ回りに回転自在なものであるため、ハンガー脚Ｂ２２に対する段付ピンＢ２３１の相対位置も差込み軸Ｂ２２ｃ回りに変更可能なものとなる。したがって、係合溝Ｂ６２１、Ｂ６２１´に係合させた対をなす段付ピンＢ２３１同士の相対位置関係に拘束されることなく、ハンガー脚Ｂ２２同士の適切な相対位置関係を確保し、ねじれ等に起因する無理な負荷がハンガー脚Ｂ２２及びハンガー本体Ｂ２１に作用することを有効に回避することができる。
【００５２】
なお、ハンガーを横フレーム部に取り付ける際に、各ハンガー脚と脚支持部とを分解させた状態で各脚支持部をそれぞれ単体で係合溝に係合させた後に脚支持部にハンガー脚を取り付けて支持させるようにしてもよい。
【００５３】
また、ハンガー取付部として係合溝に代えて、第１変形例に示す対をなすダルマ孔を適用し、各ダルマ孔にそれぞれ脚支持部の段付ピンを係合させることによって、第２変形例に示すハンガーを背フレームに装着し、またダルマ孔と脚支持部の段付ピンとの係合を解除することによって、第２変形例に示すハンガーを背フレームから取り外すようにしても勿論構わない。
【００５４】
また、ハンガー脚の下端部に下方に開口する差込み孔を設け、脚支持部の上端部に上方に突出する円柱状又は略円柱状の差込み軸を設け、差込み軸を差込み孔に挿入した状態において、ハンガー脚及び脚支持部を差込み軸回りに相対回動し得るように構成してもよい。
〈第３変形例〉
さらに、第３変形例として以下に説明する態様を採用しても構わない。なお、前述の図５及び図６に対応させた図面である図１３では、上記実施形態に示す各部材・各部と同一の部材・部位には同一の符号を付すとともに、上記実施形態に示す各部材・各部に対応する各部材・各部には対応する符号の頭に「Ｃ」を付している。また、上記実施形態と同様又は略同様の部材・部位については詳細な説明を省略する。
【００５５】
第３変形例では、ハンガー取付部として、背フレームの前面に幅方向に沿って設けた断面Ｃ型又は断面略Ｃ型の係合溝 (図示省略)を適用するとともに、ハンガーＣ２が、衣類を掛けることが可能なハンガー本体Ｃ２１と、このハンガー本体Ｃ２１を支持するための単一のハンガー脚Ｃ２２とを備えたものである。
【００５６】
第３変形例の係合溝は、前記実施形態及び第２変形例で示した係合溝６２１、Ｂ６２１と比較して、内部空間の高さ寸法が幅方向中央に向かって漸次小さくなるものではなく、内部空間の何れの部位における高さ寸法も同一又は略同一に設定している点のみが異なる。
【００５７】
一方、ハンガー脚Ｃ２２の下端部には、係合溝に挿脱可能な挿脱位置（Ｒ）と係合溝に係合可能な係合位置（Ｓ）との間で回転可能な係合片Ｃ２２１を設けている。係合片Ｃ２２１は、基端（前端）側に設けた軸部Ｃ２２１ａと、先端（後端）側に設けた矩形状又は略矩形状の係合片本体Ｃ２２１ｂとを備えたものである。係合片Ｃ２２１を挿脱位置（Ｒ）と係合位置（Ｓ）との間で回動させる際に、係合片本体Ｃ２２１ｂが軸部Ｃ２２１ａに対して相対的に回転する態様であってもよく、係合片本体Ｃ２２１ｂ及び軸部Ｃ２２１ａが一体的に回動する態様であっても構わない。係合片本体Ｃ２２１ｂの長手寸法を、係合溝の内部空間の高さ寸法と同一又は略同一に設定し、係合片Ｃ２２１を係合位置（Ｓ）に位置付けた場合に、係合片本体Ｃ２２１ｂが係合溝内の下向面及び上向面に圧接し得るようにしている。なお、係合片Ｃ２２１を挿脱位置（Ｒ）と係合位置（Ｓ）との回動させる操作は、図示しない工具（例えば係合片本体Ｃ２２１ｂに設けた六角孔Ｃ２２１ｃに嵌合可能な六角レンチ等）を用いて行うようにしている。
【００５８】
そして、このようなハンガーＣ２を横フレーム部の前面に設けた係合溝を利用して背フレームに取り付ける際には、係合片Ｃ２２１を挿脱位置（Ｒ）に位置付けた状態でその係合片Ｃ２２１を係合溝の側方開口部から係合溝内に挿入する。引き続き、その挿入状態のままハンガー脚Ｃ２２を横フレーム部の幅方向中央まで移動させ、係合片Ｃ２２１を挿脱位置（Ｒ）から係合位置（Ｓ）へ回動させると、係合片本体Ｃ２２１ｂが係合溝内の下向面及び上向面に圧接する。これにより、係合片Ｃ２２１が係合溝に係合し、ハンガー脚Ｃ２２が係合溝から抜け外れることを防止することができる。この状態において、係合片Ｃ２２１を係合位置（Ｓ）から挿脱位置（Ｒ）に回転させる操作力を付与しない限り、係合片Ｃ２２１と係合溝との係合状態は解除されることがなく、横フレーム部に対するハンガーＣ２の良好な取付状態を、係合溝と係合片Ｃ２２１との係合を利用して実現することができる。なお、ハンガーＣ２を横フレーム部に取り付けた取付状態において、ハンガー脚Ｃ２２が背凭れに干渉しないように設定している点は、前記実施形態と同様又はそれに準ずるものである。また、取付状態において、係合片Ｃ２２１を係合位置（Ｓ）から挿脱位置（Ｒ）に回転させることによって、係合片Ｃ２２１と係合溝との係合状態が解除され、その状態で係合片Ｃ２２１を係合溝の側方開口部から抜き外すことによって、ハンガーＣ２を横フレーム部から取り外すことができる。
【００５９】
なお、第３変形例では、ハンガーとして、複数（例えば一対）のハンガー脚を備えたものを適用し、各ハンガー脚の下端部にそれぞれ係合片を設けても構わない。
【００６０】
また、係合溝の前方開口部の開口高さ寸法を、挿脱位置に位置付けた係合片の挿脱を許容し且つ係合位置に位置付けた係合片の挿脱を規制し得る寸法に設定してもよい。
【００６１】
また、係合片本体が一対の円弧状部を有する概略小判状のものであっても構わない。
【００６２】
また、ハンガー取付部として、係合溝に代えてダルマ孔を適用し、係合片を挿脱位置に位置付けた状態で幅広開口部及び幅狭開口部から挿入し、幅狭開口部側に移動させて挿脱位置から係合位置に回転させることにより係合片がダルマ孔に係合するようにしてもよい。
【００６３】
さらに、上述した実施態様や変形例の他、背フレームのうち背凭れから離間している部位（例えば横フレーム部）の前面に雌ネジ孔を設け、この雌ネジをハンガー取付部として機能させても構わない。この場合、背フレームのうち背凭れから離間している部位（例えば横フレーム部）の前面に雌ネジ孔が開口するようにナットを埋設し、ビス等の雄ネジ部材を利用してハンガーの下端部（例えばハンガー脚の下端部）を雌ネジ孔に締着すればよい。なお、雌ネジ孔の数は適宜増減しても構わない。
【００６４】
その他、各部の具体的構成についても上記実施形態に限られるものではなく、本発明の趣旨を逸脱しない範囲で種々変形が可能である。
【図面の簡単な説明】
【００６５】
【図１】本発明の一実施形態に係る椅子の全体概略図。
【図２】同実施形態における要部拡大図。
【図３】同実施形態における横フレーム部を背面から見た状態を模式的に示す図。
【図４】同実施形態における横フレーム部を正面から見た状態、及び所定部位の断面を模式的に示す図。
【図５】同実施形態におけるハンガーを背面から見た状態、及び側面から見た状態を模式的に示す図。
【図６】同実施形態においてハンガー脚が拡開姿勢にあるハンガーを図５に対応させて示す図。
【図７】同実施形態における作用説明図。
【図８】第１変形例における横フレーム部を図４に対応させて示す図。
【図９】同変形例における作用説明図。
【図１０】第２変形例におけるハンガーを背面から見た状態を模式的に示す図。
【図１１】同変形例におけるハンガーの分解図。
【図１２】同変形例における作用説明図。
【図１３】第３変形例におけるハンガーを背面から見た状態、及び側面から見た状態を模式的に示す図。
【符号の説明】
【００６６】
２、Ａ２、Ｂ２、Ｃ２…ハンガー
２１、Ａ２１、Ｂ２１、Ｃ２１…ハンガー本体
２２、Ａ２２、Ｂ２２、Ｃ２２…ハンガー脚
２２１、Ａ２２１、Ｂ２３１…段付ピン
６、Ａ６、Ｂ６、Ｂ６´…背フレーム
６２１、Ｂ６２１、Ｂ６２１´…ハンガー取付部（係合溝）
７、Ｂ７、Ｂ７´…背凭れ
Ａ６２１…ハンガー取付部（ダルマ孔）
Ａ６２１ａ…幅広開口部
Ａ６２１ｂ…幅狭開口部
Ｂ２３…脚支持部
Ｃ２２１…係合片
【図１】
2010022573.tif 000003
【図２】
2010022573.tif 000004
【図３】
2010022573.tif 000005
【図４】
2010022573.tif 000006
【図５】
2010022573.tif 000007
【図６】
2010022573.tif 000008
【図７】
2010022573.tif 000009
【図８】
2010022573.tif 000010
【図９】
2010022573.tif 000011
【図１０】
2010022573.tif 000012
【図１１】
2010022573.tif 000013
【図１２】
2010022573.tif 000014
【図１３】
2010022573.tif 000015